(57)【要約】【課題】欠陥画素の画素値を精度よく補正することができるカメラを提供する。【解決手段】被写体をＣＣＤセンサ１３２上に結像させてその被写体を表わす画像信号を取り込むにあたり、画像信号生成部１５０で、ＣＣＤセンサ１３２を構成する主画素の方が欠陥画素であって、その周囲の画素の信号レベルが所定の輝度レベル以上の輝度を表わす信号レベルであったときは、副画素で得られた画素値に基づいて欠陥画素の画素値を求め、副画素の方が欠陥画素であり主画素の方は正常な画素である場合は、主画素で得られた画素値に基づいて欠陥画素の画素値を求める。【選択図】　　　　図２
2004120525.tif 000002
【特許請求の範囲】
【請求項１】
被写体を撮像素子上に結像させて該被写体を表わす画像信号を取り込むカメラにおいて、
前記撮像素子は、相対的に面積の広い主画素と相対的に面積の狭い副画素であって画素値が相互に独立に読み出される主画素と副画素の複合からなる画素が配列されたものであり、
前記撮像素子のいずれかの画素が、該画素を構成する主画素と副画素とのいずれかについて正常な画素値の取り込みが不能な欠陥画素である場合に、該欠陥画素に関し、該欠陥画素のうちの主画素の方が正常な画素値の取り込みが不能な画素であって、かつ該欠陥画素の周囲の画素の信号レベルが所定の輝度レベル以上の輝度を表わす信号レベルであったときは、該欠陥画素の副画素で得られた画素値に基づいて該欠陥画素の画素値を求め、
該欠陥画素のうちの主画素の方が正常な画素値の取り込みが不能な画素であって、かつ該欠陥画素の周囲の信号レベルが所定の輝度レベル未満の輝度を表わす信号レベルであったときは、該欠陥画素の周囲の画素の画素値に基づいて該欠陥画素の画素値を求め、
該欠陥画素のうちの副画素の方が正常な画素値の取り込みが不能な画素であったときは、該欠陥画素のうちの主画素の画素値に基づいて該欠陥画素の画素値を求め、
前記撮像素子を構成する複数の画素のうちの欠陥画素を除く各画素について、１つの画素を構成する主画素と副画素のそれぞれで得られた画素値双方に基づいて該１つの画素の画素値を求める画素信号生成部を備えたことを特徴とするカメラ。
【発明の詳細な説明】
【０００１】
【発明の属する技術分野】
本発明は、被写体を撮像素子上に結像させてその被写体を表わす画像信号を取り込む撮影を行なうカメラに関する。
【０００２】
【従来の技術】
近年、被写体を撮像素子上に結像させてその被写体を表わす画像信号を取り込む撮影を行なう、いわゆるデジタルカメラが広く普及しており、撮像素子としては、電荷結合素子であるＣＣＤ（Ｃｈａｒｇｅ　Ｃｏｕｐｌｅｄ　Ｄｅｖｉｃｅ）撮像素子や、安価で低消費電力のＣＭＯＳ撮像センサが用いられる。このような撮像素子には多数の画素が配列されており、この撮像素子は半導体基板上に多数のフォトダイオード等の感光素子を形成することにより製造される。ここで、撮像素子の製造にあたり、半導体基板に不純物が混入する等の原因により局所的に画素値の取り込みが不能な欠陥画素が発生する場合がある。
【０００３】
このような欠陥画素を有する撮像素子を救済するために、欠陥画素に隣接した複数の画素からの合成信号に基づいてその欠陥画素の画素値を補正する技術が提案されている（例えば、特許文献１参照）。
【０００４】
また、ルックアップテーブル記憶部に記憶された、正常な画素の出力に対応して算出された補正データに基づいて、欠陥画素の画素値を補正する技術が提案されている（例えば、特許文献２参照）。
【０００５】
【特許文献１】
特開平５−１３０５１４号公報（段落番号００１５−段落番号００２０、第１図）
【特許文献２】
特開平６−３３４９２２号公報（段落番号００２１−段落番号００２５、第１図）
【０００６】
【発明が解決しようとする課題】
しかし、特許文献１や特許文献２に記載された技術は、撮像素子の、欠陥画素とは物理的に異なる場所に形成された周辺部における画素の画素値に基づいて、欠陥画素の画素値を補正するものである。具体的には、撮像素子が、いわゆる単板ＣＣＤである場合、画素毎に色成分が異なっており（例えば、Ｒ，Ｇ，Ｂ，Ｇの様に、Ｒ，Ｇ，Ｂ線分が交互に配置されている）、欠陥画素の画素値を補正する場合、同じ色成分の画素の情報で補正する必要がある。このため、欠陥画素とは物理的に異なる場所に形成された画素の画素値を得るためには、欠陥画素に隣接した画素の画素値ではなく、さらに離れた場所に位置する画素の画素値で補正する必要がある。このため、欠陥画素の画素値を精度よく補正することは困難である。
【０００７】
本発明は、上記事情に鑑み、欠陥画素の画素値を精度よく補正することができるカメラを提供することを目的とする。
【０００８】
【課題を解決するための手段】
上記目的を達成する本発明のカメラは、被写体を撮像素子上に結像させてその被写体を表わす画像信号を取り込むカメラにおいて、
上記撮像素子は、相対的に面積の広い主画素と相対的に面積の狭い副画素であって画素値が相互に独立に読み出される主画素と副画素の複合からなる画素が配列されたものであり、
上記撮像素子のいずれかの画素が、その画素を構成する主画素と副画素とのいずれかについて正常な画素値の取り込みが不能な欠陥画素である場合に、その欠陥画素に関し、その欠陥画素のうちの主画素の方が正常な画素値の取り込みが不能な画素であって、かつその欠陥画素の周囲の画素の信号レベルが所定の輝度レベル以上の輝度を表わす信号レベルであったときは、その欠陥画素の副画素で得られた画素値に基づいてその欠陥画素の画素値を求め、
その欠陥画素のうちの主画素の方が正常な画素値の取り込みが不能な画素であって、かつその欠陥画素の周囲の信号レベルが所定の輝度レベル未満の輝度を表わす信号レベルであったときは、その欠陥画素の周囲の画素の画素値に基づいてその欠陥画素の画素値を求め、
その欠陥画素のうちの副画素の方が正常な画素値の取り込みが不能な画素であったときは、その欠陥画素のうちの主画素の画素値に基づいてその欠陥画素の画素値を求め、
上記撮像素子を構成する複数の画素のうちの欠陥画素を除く各画素について、１つの画素を構成する主画素と副画素のそれぞれで得られた画素値双方に基づいてその１つの画素の画素値を求める画素信号生成部を備えたことを特徴とする。
【０００９】
本発明のカメラは、主画素の方が欠陥画素であって、かつその周囲の画素の信号レベルが所定の輝度レベル以上の輝度を表わす信号レベルであったときは、副画素で得られる画素値は十分に信頼性の高いデータであるため、その副画素で得られた画素値に基づいて欠陥画素の画素値を求めるものである。このため、欠陥画素である主画素に隣接した正常な副画素の画素値で補正される。従って、従来の、欠陥画素に隣接した画素の画素値ではなく、さらに離れた場所に位置する画素の画素値で補正する技術と比較し、欠陥画素の画素値を精度よく補正することができる。
【００１０】
また、主画素の方が欠陥画素であって、かつその周囲の画素の信号レベルが所定の輝度レベル未満の輝度を表わす信号レベルであったときは、副画素で得られる画素値は信頼性の低いデータであるため、その主画素の周囲の画素の画素値に基づいて欠陥画素の画素値を求める。このようにすることにより、主画素が欠陥画素であって、その周囲の画素の信号レベルが所定の輝度レベル未満の輝度を表わす信号レベルであっても、その欠陥画素の画素値を精度よく補正することができる。
【００１１】
さらに、副画素の方が欠陥画素であり主画素の方は正常な画素である場合は、相対的に面積の広い主画素で得られる画素値は十分に信頼性の高いデータであるため、その主画素で得られた画素値に基づいて欠陥画素の画素値を求める。このようにすることにより、欠陥画素である副画素に隣接した正常な主画素の画素値で補正されるため、やはり欠陥画素の画素値を精度よく補正することができる。
【００１２】
また、複数の画素のうちの欠陥画素を除く各画素については、１つの画素を構成する主画素と副画素のそれぞれで得られた画素値双方に基づいてその１つの画素の画素値を求める。このようにすることにより、欠陥画素を除く各画素の画素値を高い精度で求めることができる。
【００１３】
【発明の実施の形態】
以下、本発明の実施形態について説明する。
【００１４】
図１は、本発明の一実施形態のカメラの外観図である。図１（ａ）は正面図、（ｂ）は上面図、（ｃ）は側面図、（ｄ）は背面図である。
【００１５】
図１（ａ）〜（ｄ）に示すカメラ１００は、被写体を撮像素子上に結像させてその被写体を表わす画像信号を取り込むデジタルカメラである。
【００１６】
図１（ａ）に示すように、本実施形態のカメラ１００の正面には、撮影ズームレンズ１０１が備えられている。また、このカメラ１００の上部には、閃光を発光する閃光発光管１０５ａを有する閃光発光装置１０５が配備されている。
【００１７】
さらに、図１（ｄ）に示すように、カメラ１００の背面にはユーザがこのカメラ１００を使用するときに種々の操作を行なうための操作部１２０が設けられている。
【００１８】
この操作部１２０には、カメラ１００を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行を行なうための実行スイッチ１２６ａ，キャンセルを行なうためのキャンセルスイッチ１２６ｂが備えられている。
【００１９】
また、カメラ１００の背面には、撮影画像や再生画像等を表示するための画像表示ＬＣＤ１０２と、操作の手助けを行なうための操作表示ＬＣＤ１０３が備えられている。
【００２０】
さらに、図１（ｂ）に示すように、このカメラ１００の上面にはレリーズ釦１０４が配備されている。このレリーズ釦１０４によって撮影の開始指示がカメラ１００の内部に備えられた、後述するメインＣＰＵへと伝えられる。このカメラ１００では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。
【００２１】
さらに、図１（ｃ）に示すように、カメラ１００の側面には、このカメラ１００により撮影された被写体の画像信号をテレビやプロジェクタ等に出力するためのケーブルが接続される映像出力端子１０６と、このカメラ１００により撮影された被写体の画像信号をＵｎｉｖｅｒｓａｌ　Ｓｅｒｉａｌ　Ｂｕｓ（ＵＳＢ）端子が備えられたパーソナルコンピュータ等に出力し、およびこのようなパーソナルコンピュータ等からカメラ１００に画像信号を入力するためのケーブルが接続されるＵＳＢ端子１０７と、ＡＣアダプタからの直流電圧が入力される直流電圧入力端子１０８とが備えられている。
【００２２】
図２は、図１に示すカメラの回路構成を示すブロック図である。
【００２３】
このカメラ１００には、前述した撮影ズームレンズ１０１と、絞り１３１と、それら撮影ズームレンズ１０１および絞り１３１を経由して結像された被写体像をアナログの画像信号に変換する撮像素子であるＣＣＤセンサ１３２とが備えられている。ＣＣＤセンサ１３２は、そのＣＣＤセンサ１３２に照射された被写体光により発生した電荷を可変の電荷蓄積時間の間蓄積することにより画像信号を生成するものである。
【００２４】
また、このカメラ１００には、ＣＣＤセンサ１３２からのアナログの画像信号をデジタルの画像データにＡ／Ｄ変換するＡ／Ｄ部１３４と、そのＡ／Ｄ部１３４からの画像データを格納するバッファメモリ１３５が備えられている。
【００２５】
さらに、カメラ１００には、ＣＧ（クロックジェネレータ）部１３６と、測光・測距用ＣＰＵ１３７と、充電・発光制御部１３８と、白バランス・γ処理部１３９と、ＹＣ処理部１４０と、電源１４１とが備えられている。
【００２６】
ＣＧ部１３６は、ＣＣＤセンサ１３２を駆動するための駆動信号、Ａ／Ｄ部１３４，白バランス・γ処理部１３９を制御するための制御信号を出力する。また、このＣＧ部１３６には、測光・測距用ＣＰＵ１３７からの制御信号が入力される。
【００２７】
測光・測距用ＣＰＵ１３７は、撮影ズームレンズ１０１，絞り１３１を図示しない手段で駆動することにより測光や測距を行ない、ＣＧ部１３６および充電・発光制御部１３８を制御する。さらに、この測光・測距用ＣＰＵ１３７は、後述するメインＣＰＵ１４５との間でデータ通信を行なう。
【００２８】
充電・発光制御部１３８は，閃光発光管１０５ａを発光させるために電源１４１からの電力の供給を受けて図示しない閃光発光用のコンデンサを充電したり、その閃光発光管１０５ａの発光を制御する。
【００２９】
白バランス・γ処理部１３９は、バッファメモリ１３５に格納された画像データをバスライン１４２を介して読み出して、その画像データが表わす被写体像のホワイトバランスを合わせるとともにその被写体像の階調特性における直線の傾き（γ）を調整する。
【００３０】
ＹＣ処理部１４０は、バッファメモリ１３５に格納された画像データをバスライン１４２を介して読み出し、輝度信号（Ｙ）と色信号（Ｃ）に分離されたカラー映像信号ＹＣを生成する。生成されたカラー映像信号ＹＣは、映像出力端子１０６（図１（ｃ）参照）から出力される。
【００３１】
電源１４１は、このカメラ１００の各部に電力を供給する。
【００３２】
さらに、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００３３】
また、カメラ１００には、メインＣＰＵ１４５と、ＥＥＰＲＯＭ１４６と、ＹＣ／ＲＧＢ変換部１４７と、表示用のドライバ１４８とが備えられている。
【００３４】
メインＣＰＵ１４５は、このカメラ１００全体の制御を行なう。
【００３５】
ＥＥＰＲＯＭ１４６には、このカメラ１００固有の固体データ等が格納されている。また、このＥＥＰＲＯＭ１４６には、ＣＣＤセンサ１３２が製造上の理由等により欠陥画素を有する場合、この欠陥画素の欠陥情報が格納される。
【００３６】
ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００３７】
さらに、カメラ１００には、画素信号生成部１５０が備えられている。画素信号生成部１５０の詳細については後述するが、この画素信号生成部１５０は、ＣＣＤセンサ１３２が製造上の理由等により欠陥画素を有する場合、その欠陥画素から正常な画素値の取り込みが不能な場合に、その欠陥画素の画素値を精度よく補正するためのものである。ここで、ＣＣＤセンサ１３２の構成について説明する。
【００３８】
図３は、図２に示すＣＣＤセンサを構成する２つの画素を示す図である。
【００３９】
尚、ここでは、例示的に２つの画素を示すが、実際にはＣＣＤセンサ１３２には、このような画素が多数配列されている。
【００４０】
図３には、ＣＣＤセンサ１３２を構成する画素１３２＿１，１３２＿２が示されている。画素１３２＿１は、相対的に面積の広い主画素１３２＿１１と、相対的に面積の狭い副画素１３２＿１２との複合からなる画素であり、これら主画素１３２＿１１，副画素１３２＿１２の画素値は、画素１３２＿１の両側に配設された伝送路１３２ａを介して、相互に独立に読み出される。
【００４１】
また、画素１３２＿２も、画素１３２＿１と同様にして、相対的に面積の広い主画素１３２＿２１と、相対的に面積の狭い副画素１３２＿２２との複合からなる画素であり、これら主画素１３２＿２１，副画素１３２＿２２の画素値は、画素１３２＿２の両側に配設された伝送路１３２ａを介して、相互に独立に読み出される。尚、上記主画素１３２＿１１，１３２＿２１，副画素１３２＿１２，１３２＿２２は、例えばフォトダイオードから形成されている
図４は、図２に示すバッファメモリの、主画素と副画素との双方の画素値が格納されるメモリ部分を示す図である。
【００４２】
尚、ここでは、例示的に２つのメモリ部分を示すが、実際にはバッファメモリ１３５には、このようなメモリ部分が多数備えられている。
【００４３】
図４には、バッファメモリ１３５を構成するメモリ部分１３５＿１，１３５＿２が示されている。メモリ部分１３５＿１には、主画素１３２＿１１の画素値（主画素データと記述する）が格納される。また、メモリ部分１３５＿２には、副画素１３２＿１２の画素値（副画素データと記述する）が格納される。バッファメモリ１３５に格納された主画素データおよび副画素データは、画素信号生成部１５０で読み出されて、以下のようにして処理される。
【００４４】
画素信号生成部１５０は、ＣＣＤセンサ１３２のいずれかの画素が、その画素を構成する主画素と副画素とのいずれかについて正常な画素値の取り込みが不能な欠陥画素である場合に、その欠陥画素に関し、その欠陥画素のうちの主画素の方が正常な画素値の取り込みが不能な画素であって、かつその欠陥画素の周囲の画素の信号レベルが所定の輝度レベル以上の輝度を表わす信号レベルであったときは、その欠陥画素の副画素で得られた画素値に基づいてその欠陥画素の画素値を求める。
【００４５】
ＣＣＤセンサ１３２は、いわゆる単板ＣＣＤであり、画素毎に色成分が異なっている（例えば、Ｒ，Ｇ，Ｂ，Ｇの様に、Ｒ，Ｇ，Ｂ線分が交互に配置されている）。本実施形態では、主画素および副画素には同じ色の成分を有する光が入射される。欠陥画素の画素値を補正する場合、同じ色成分の画素の情報で補正する必要がある。従来の技術では、欠陥画素とは物理的に異なる場所に形成された画素の画素値を得るためには、欠陥画素に隣接した画素の画素値ではなく、さらに離れた場所に位置する画素の画素値で補正する必要がある。このため、欠陥画素の画素値を精度よく補正することは困難である。本実施形態では、主画素の方が欠陥画素であって、かつその周囲の画素の信号レベルが所定の輝度レベル以上の輝度を表わす信号レベルであったときは、副画素で得られる画素値は十分に信頼性の高いデータであるため、その副画素で得られた画素値に基づいて欠陥画素の画素値を求める。このようにすることにより、欠陥画素である主画素に隣接した正常な副画素の画素値で補正されるため、その欠陥画素の画素値を精度よく補正することができる。
【００４６】
また、画素信号生成部１５０は、ＣＣＤセンサ１３２の欠陥画素のうちの主画素の方が正常な画素値の取り込みが不能な画素であって、かつその欠陥画素の周囲の信号レベルが所定の輝度レベル未満の輝度を表わす信号レベルであったときは、その欠陥画素の周囲の画素の画素値に基づいてその欠陥画素の画素値を求める。主画素の方が欠陥画素であって、かつその周囲の画素の信号レベルが所定の輝度レベル未満の輝度を表わす信号レベルであったときは、副画素で得られる画素値は信頼性の低いデータであるため、その主画素の周囲の画素の画素値に基づいて欠陥画素の画素値を求める。このようにすることにより、主画素が欠陥画素であって、その周囲の画素の信号レベルが所定の輝度レベル未満の輝度を表わす信号レベルであっても、その欠陥画素の画素値を精度よく補正することができる。
【００４７】
さらに、画素信号生成部１５０は、ＣＣＤセンサ１３２の欠陥画素のうちの副画素の方が正常な画素値の取り込みが不能な画素であったときは、その欠陥画素のうちの主画素の画素値に基づいてその欠陥画素の画素値を求める。副画素の方が欠陥画素であり主画素の方は正常な画素である場合は、相対的に面積の広い主画素で得られる画素値は十分に信頼性の高いデータであるため、その主画素で得られた画素値に基づいて欠陥画素の画素値を求める。このようにすることにより、欠陥画素である副画素に隣接した正常な主画素の画素値で補正されるため、その欠陥画素の画素値を精度よく補正することができる。
【００４８】
また、画素信号生成部１５０は、ＣＣＤセンサ１３２を構成する複数の画素のうちの欠陥画素を除く各画素については、１つの画素を構成する主画素と副画素のそれぞれで得られた画素値双方に基づいてその１つの画素の画素値を求める。このようにすることにより、欠陥画素を除く各画素の画素値を高い精度で求めることができる。
【００４９】
図５は、本実施形態のカメラの、画素信号生成部における欠陥画像の画素値を補正する補正処理ルーチンのフローチャートである。
【００５０】
撮影・再生切替レバー１２２が撮影側１２２ａに切り替えられた状態で電源スイッチ１２１が押されてカメラ１００に電源が投入されると、この補正処理ルーチンが開始する。
【００５１】
先ず、ステップＳ１において、レリーズ釦１０４が押されたか否かが判定される。レリーズ釦１０４が押されていないと判定された場合は、レリーズ釦１０４が押されるまでこのステップＳ１を繰り返し実行する。レリーズ釦１０４が押されたと判定された場合はステップＳ２に進む。
【００５２】
ステップＳ２では、主画素データを読み込んでステップＳ３に進む。ステップＳ３では、副画素データを読み込んでステップＳ４に進む。ステップＳ４では、ＥＥＰＲＯＭ１４６に格納されている欠陥画素の欠陥情報を読み込む。
【００５３】
次に、ステップＳ５において、読み込まれた主画素データおよび副画素データを有する画素が上記欠陥情報を持つ欠陥画素であるか否かが判定される。欠陥画素でないと判定された場合は、後述するステップＳ１０に進む。一方、欠陥画素であると判定された場合はステップＳ６に進む。
【００５４】
ステップＳ６では、主画素が欠陥であるか否かが判定される。主画素が欠陥であると判定された場合はステップＳ７に進む。ステップＳ７では、周囲の輝度が大きいか否かが判定される。周囲の輝度が大きいと判定された場合はステップＳ８に進み、副画素データを正常な主画素データに見合った感度比分だけ増幅して主画素データとする（置き換える）。一方、周囲の輝度が小さいと判定された場合はステップＳ９に進み、周囲の同色の主画素データを平均して補正する。尚、ステップＳ６において、主画素が欠陥でないと判定された場合は副画素が欠陥であるためステップＳ１１に進む。ステップＳ１１では、主画素データを正常な副画素データに見合った感度比分だけ小さく（減衰）して副画素データとし、ステップＳ１０に進む。
【００５５】
ステップＳ１０では、全ての欠陥画素について補正したか否かが判定される。全ての欠陥画素について未だ補正していないと判定された場合はステップＳ５に戻る。一方、全ての欠陥画素について補正したと判定された場合は、このルーチンを終了する。
【００５６】
【発明の効果】
以上説明したように、本発明のカメラによれば、欠陥画素の画素値を精度よく補正することができる。
【図面の簡単な説明】
【図１】本発明の一実施形態のカメラの外観図である。
【図２】図１に示すカメラの回路構成を示すブロック図である。
【図３】図２に示すＣＣＤセンサを構成する２つの画素を示す図である。
【図４】図２に示すバッファメモリの、主画素と副画素との双方の画素値が格納されるメモリ部分を示す図である。
【図５】本実施形態のカメラの、画素信号生成部における欠陥画像の画素値を補正する補正処理ルーチンのフローチャートである。
【符号の説明】
１００　カメラ
１０１　撮影ズームレンズ
１０２　画像表示ＬＣＤ
１０３　操作表示ＬＣＤ
１０４　レリーズ釦
１０５　閃光発光装置
１０５ａ　閃光発光管
１０６　映像出力端子
１０７　ＵＳＢ端子
１０８　直流電圧入力端子
１２０　操作部
１２１　電源スイッチ
１２２　撮影・再生切替レバー
１２３　撮影モードダイヤル
１２４　十字スイッチ
１２５　閃光発光用スイッチ
１２６ａ　実行スイッチ
１２６ｂ　キャンセルスイッチ
１３１　絞り
１３２　ＣＣＤセンサ
１３２＿１，１３２＿２　画素
１３２＿１１，１３２＿２１　主画素
１３２＿１２，１３２＿２２　副画素
１３２ａ　伝送路
１３４　Ａ／Ｄ部
１３５　バッファメモリ
１３５＿１，１３５＿２　メモリ部分
１３６　ＣＧ部
１３７　測光・測距用ＣＰＵ
１３８　充電・発光制御部
１３９　白バランス・γ処理部
１４０　ＹＣ処理部
１４１　電源
１４２　バスライン
１４３　圧縮・伸長＆ＩＤ抽出部
１４４　Ｉ／Ｆ部
１４５　メインＣＰＵ
１４６　ＥＥＰＲＯＭ
１４７　ＹＣ／ＲＧＢ変換部
１４８　ドライバ
１５０　画像信号生成部
２００　メモリカード
【図１】
2004120525.tif 000003
【図２】
2004120525.tif 000004
【図３】
2004120525.tif 000005
【図４】
2004120525.tif 000006
【図５】
2004120525.tif 000007